(57)【要約】      （修正有）【課題】各プラント側の帳票用ファイル、一括管理帳票用ファイルのデータに対してどちらを修正しても、データの統治化を自動的に行うことにより、互いの相互不一致をなくす。【解決手段】複数のシステム１８Ａ，１８Ｂ毎にシステム側ファイル２０Ａ，２０Ｂを設け、各システムで収集したデータを保管すると共に、各システム側ファイルに対応してマスター側ファイル２５Ａ，２５Ｂを設け、各システム側ファイルの変化をファイル変化監視手段３１Ａ，３１Ｂで監視し、ファイル変化があった場合は、そのシステム側ファイルに対応するマスター側ファイルに変化内容をコピーする。また、マスター側ファイルに対するメンテナンスがあった場合にはメンテナンスが行なわれたマスター側ファイル２５Ａまたは２５Ｂに対応するシステム側ファイル２０Ａまたは２０Ｂにメンテナンスにより更新されたデータを書き込む。【選択図】図３
2006195731.tif 000002
【特許請求の範囲】
【請求項１】
複数のシステム毎に設けられ、各システムで収集したデータを保管するシステム側ファイルと、
前記各システム側ファイルに対応して設けられたマスター側ファイルと、
前記各システム側ファイルの変化を監視し、ファイル変化があった場合は、そのシステム側ファイルに対応するマスター側ファイルに、変化内容をコピーするファイル変化監視手段と、
マスター側ファイルに対するメンテナンスを検出し、このメンテナンスのフラグが立った場合は、メンテナンスが行なわれたマスター側ファイルに対応するシステム側ファイルにデータアクセスし、メンテナンスにより更新されたデータを書き込むメンテナンス管理手段と
を備えたことを特徴とするファイルデータ管理システム。
【発明の詳細な説明】
【技術分野】
【０００１】
本発明は、大規模プラントなどのように、複数のシステムにシステム側ファイルをそれぞれ設けると共に、これら各システム側ファイルのデータを一括収集するマスター側ファイルを備えたファイルデータ管理システムに関する。
【背景技術】
【０００２】
一般に、各種のプラントを運転制御する装置では、プラント運転データの収集により監視制御を行い、その結果を出力するように構成されている（例えば、特許文献１参照）。
【０００３】
ところで、近年、プラントの大型化に伴い、帳票管理についても複数プラントの一括化が求められている。すなわち、複数プラントでそれぞれ収集したデータを、これまではプラント毎に帳票データとしてそれぞれ管理していたものを、マスター側で一括管理しようとするものである。この場合、現実の管理としては、各プラントで帳票管理、作成を行った帳票を、一括管理を行うマスター側の帳票装置に収集して管理を行っている。しかし、各プラントでの帳票管理は、プラント停止やトラブル等の様々な要因により、修正を加えなければならない場合が多い。このような場合、各プラント側でデータ修正を行うと一括管理を行う帳票装置側も併せて修正を加えなければならない。
【０００４】
従来は、プラント毎にデータの収集管理を行い、その結果を一括管理帳票に収集管理するようにしていた。このため、帳票データの修正を行った時には各プラントの帳票を修正し、一括収集管理帳票のデータも修正しなければならず、修正工数が多くかかってしまう。また、片側だけ修正するトラブルも多く発生しているのが現状である。
【０００５】
ここで、各プラントの帳票を一カ所で管理する場合、従来、プラントの帳票をＦＤ、ＭＯ等のメディアで保存し、管理用の帳票装置に保存する手法をとっていた。しかし、ＦＤ、ＭＯ等のメディアで保存する手法の場合には、管理用帳票装置でのデータ管理にリアルタイム性が無い。すなわち、日替わりや月替わりの帳票データは、各プラント用帳票装置が、日替わりや月替わりの終了後に帳票データを吸い上げるため、一括管理用帳票でリアルに管理できない問題が発生する。
【０００６】
また、一括管理用帳票装置内のデータ、或いは、各プラントの帳票装置に対してメンテナンス修正を行った場合に、どちらか片方のデータを修正し、再度、修正していないデータに対して再保存を行う場合には問題ないが、同一内容の帳票データをお互いに修正した場合には、相手が修正した状況の判断がつかない。このため、ＦＤ、ＭＯ等のメディアで保存を実施した場合には相手側の修正された帳票データが反映できない状況となり、メンテナンスの不一致となる問題が発生する。
【特許文献１】特開２００３−５８２４１号公報
【発明の開示】
【発明が解決しようとする課題】
【０００７】
このように複数プラントで収集したデータを、各プラント側における帳票作成装置と各プラントを一括で管理する帳票作成装置とで取り扱う場合、メンテナンスの不一致などが生じる可能性があった。
【０００８】
本発明の目的は、各プラント側の帳票用ファイル、一括管理帳票用ファイルのデータに対して、どちらを修正してもデータの統治化を自動的に行うことにより、互いの相互不一致がなくすことができるファイルデータ管理システムを提供することにある。
【課題を解決するための手段】
【０００９】
本発明によるファイルデータ管理システムは、複数のシステム毎に設けられ、各システムで収集したデータを保管するシステム側ファイルと、前記各システム側ファイルに対応して設けられたマスター側ファイルと、前記各システム側ファイルの変化を監視し、ファイル変化があった場合は、そのシステム側ファイルに対応するマスター側ファイルに、変化内容をコピーするファイル変化監視手段と、マスター側ファイルに対するメンテナンスを検出し、このメンテナンスのフラグが立った場合は、メンテナンスが行なわれたマスター側ファイルに対応するシステム側ファイルにデータアクセスし、メンテナンスにより更新されたデータを書き込むメンテナンス管理手段とを備えたことを特徴とする。
【発明の効果】
【００１０】
本発明によれば、各システムの帳票データ及び一括帳票用のマスター用データに対し、人員的な作業を要することなく、相互にリアルタイムで監視を行い、帳票データのメンテナンスを実施した場合にはリアルタイムでメンテナンスデータを相互に更新を行うので、データの相互不一致がなく、適切なファイルデータ管理を行うことができる。
【発明を実施するための最良の形態】
【００１１】
以下、本発明によるファイルデータ管理システムの一実施の形態について、図面を用いて詳細に説明する。
【００１２】
まず、図１により本発明が適用される大規模プラントにおける帳票データの管理システムを概略説明する。図１において、１１Ａ，１１Ｂは大規模プラントを構成する設備（以下、プラント設備と呼ぶ）で、図の例では２つのプラント設備を示したが、プラントの規模によりより多くの設備を設けてもよい。１２はデータ管理設備で、各プラント設備１１Ａ，１１Ｂとは情報系ＬＡＮ１３で接続されており、これら各プラント設備１１Ａ，１１Ｂで収集した帳票用のデータを一括収集する。
【００１３】
プラント設備１１Ａ，１１Ｂは基本的に同じ構成であり、同一符号にサフィックスＡ，Ｂを付して以下構成を説明する（なお、以下の説明ではサフィックスＡ，Ｂを省略している）。１４は制御系ＬＡＮで、制御手段１５と各設備機器１６との間を接続し、制御手段１５からの制御指令を各設備機器１６に伝えると共に、設備機器１６からの状態信号を制御手段に入力させる。この制御系ＬＡＮ１４には、帳票用データを収集するシステム１８が接続され、制御用ＬＡＮ１４を介して制御手段１５や設備機器１６等から各種のデータを収集している。このシステム１８は、データ収集手段１９、収集した各種データを保存するデータベース２０、データ編集手段２１を備え、収集したデータに基づいて所定の帳票２２を作成することができる。
【００１４】
データ管理設備１２には、帳票データ用のサーバ２４が設けられており、情報系ＬＡＮ１３により各プラント設備１１Ａ，１１Ｂのシステム１８Ａ，１８Ｂと接続しており、この間で各種データの授受を行うことができる。データ管理設備１２には、この他に、データを保存するデータベース２５、データ編集手段２６が設けられており、保存されたデータに基づいて所定の帳票２７を作成することができる。
【００１５】
図２は、これらの構成をデータに着目して表した図である。各プラント設備１１Ａ，１１Ｂのシステム１８Ａ，１８Ｂには、システム側ファイルを構成するデータベース２０Ａ，２０Ｂが設けられ、管理設備１２側には、マスター側ファイルを構成するデータバース２５が設けられている。このマスター側ファイル２５は、上記複数のシステム１８Ａ，１８Ｂ毎に設けられ（２５Ａ，２５Ｂとする）、各システム１８Ａ，１８Ｂで収集したデータを各別に保管する。すなわち、マスター側ファイル２５Ａとシステム側ファイル２０Ａ及びマスター側ファイル２５Ｂとシステム側ファイル２０Ｂとのファイル構成は、互いに同じものとする。
【００１６】
また、図１で示したサーバ２４は、図２で示すようにマスター管理プロセス３０を有する。このマスター管理プロセス３０の機能を図３により説明する。３１Ａ，３１Ｂはファイル変化監視手段で、各システム１８Ａ，１８Ｂ側ファイル２０Ａ，２０Ｂの変化を監視し、ファイル変化があった場合は、そのシステム側ファイル２０Ａ，２０Ｂに対応するマスター側ファイル２５Ａ，２５Ｂに変化内容をコピーする。
【００１７】
３２はメンテナンス管理手段で、図１で示したデータ編集手段２６によるマスター側ファイル２５Ａ，２５Ｂへのメンテナンスの有無を検出する。そして、このメンテナンス有りを検出してフラグが立った場合は、メンテナンスが行なわれたマスター側ファイル２５Ａまたは２５Ｂに対応するシステム側ファイル２０Ａまたは２０Ｂに対して、データアクセス手段３３によりデータアクセスし、メンテナンスにより更新されたデータを書き込む。
【００１８】
また、マスター管理プロセス３０は読み込み用のデータアクセス手段３４を有し、マスター側ファイル２５Ａ，２５Ｂにアクセスして任意にデータを読み込み、帳票２７を作成したり、表示したりすることができる。
【００１９】
上記構成において、例えば、システム開始時に、図２で示したシステム１８Ａ、システム１８Ｂ内の帳票に関するファイル（データベース）２０Ａ，２０Ｂのデータに関して、データ更新及び修正を行った場合、マスター管理プロセス３０はデータが変化したと判断する。そして、対応するマスター側ファイル２５Ａ，２５Ｂに対して、変化したデータの更新を行う。また、プラント運転に伴い、システム１８Ａのデータ、システム１８Ｂのデータが変化した場合は、同じくこの変化をマスター管理プロセス３０が捕え、対応するマスター側ファイル２５Ａ，２５Ｂに変化したデータのみを格納させる。
【００２０】
このように、マスター側ファイル２５Ａ，２５Ｂに格納された帳票データは、システム１８Ａのデータの帳票２７Ａ及びシステム１８Ｂのデータの帳票２７Ｂとして個々に表示及び印字することができる。また、システム１８Ａのデータとシステム１８のＢデータとを合体し、図示しない複合帳票として表示及び印刷することも可能である。
【００２１】
また、マスター側ファイル２５Ａ，２５Ｂに取り込んだシステム１８Ａのデータ、システム１８Ｂのデータに関して変更を実施した場合には、マスター管理プロセス３０がデータが変化として判断し、変更したデータをシステム１８Ａ、システム１８Ｂ内の帳票に関するデータベースデータ２０Ａ，２０Ｂの変更を実施する。
【００２２】
上記各動作は、図３で示された各機能実現手段で実行される。すなわち、システム１８Ａ，１８Ｂ側の帳票データが更新されると、マスター管理プロセス３０内のファイル変化監視手段３１Ａ，３１Ｂがファイル変化監視を実行し、マスター側におけるシステム１８Ａ、システム１８Ｂに対応するデータベース２５Ａ，２５Ｂにファイルコピーを行う。
【００２３】
マスター側ファイル２５Ａ，２５Ｂに格納されたシステム１８Ａ、システム１８Ｂのデータを表示、印字を実施したい場合には、マスター管理プロセス３０内のデータアクセス（読込）手段３４により、マスター側ファイル２５Ａ，２５Ｂ内のデータから任意のデータを読込み、帳票２７として出力したり表示することができる。
【００２４】
一方、マスター側ファイル２５Ａ，２５Ｂ内のデータを修正した場合には、マスター管理プロセス３０内のメンテナンス管理手段３２においてフラグが立ち、対応するシステム側ファイル２０Ａ，２０Ｂに対して、データアクセス（書込）手段３３により、修正されたデータの更新を実施する。
【００２５】
これらの結果、大規プラント設備では、従来、各プラントの帳票を一カ所で管理する場合、各プラントの帳票をＦＤ、ＭＯ等のメディアで保存し管理用の帳票装置に保存する手法をとっていたが、この実施の形態では、データ更新やメンテナンス時に、自動的に相互にデータの更新を実施することができる。この結果、人為的な更新作業時間が無くなると共に、データ更新忘れなどの問題がなくなる。また、従来のＦＤ、ＭＯ等のメディアで保存する手法の場合には、データの確認についてはリアルタイム性が無く、日替わり、月替わりの帳票データは各プラント用帳票装置が日替わり、月替わりの終了後、帳票データを吸い上げていたため、一括管理用帳票でリアルに管理できない問題が発生していたが、この実施の形態では、更新時に相手にも自動的に更新されるためリアル的に相互に管理できる。
【図面の簡単な説明】
【００２６】
【図１】本発明が適用される大規模プラントにおける情報系のシステムを示すシステムブロック図である。
【図２】本発明によるファイルデータ管理システムの一実施の形態をデータ構成について見たシステム構成図である。
【図３】本発明によるファイルデータ管理システムの要部構成を示すシステム構成図である。
【符号の説明】
【００２７】
１８Ａ，１８Ｂ    システム
２０Ａ，２０Ｂ    システム側ファイル
２５Ａ，２５Ｂ    マスター側ファイル
３０    マスター管理システム
３１Ａ，３１Ｂ    ファイル変化監視手段
３２    メンテナンス管理手段
【図１】
2006195731.tif 000003
【図２】
2006195731.tif 000004
【図３】
2006195731.tif 000005